(57)【要約】【課題】複層の生地が一体化され且つ断熱性に優れた遮蔽装置を提供する。【解決手段】本発明によれば、ヘッドボックスから垂下され且つ前後方向に並べて配置された第１及び第２遮蔽材を一緒に昇降させる昇降コードを備える遮蔽装置であって、第１及び第２遮蔽材は、互いに溶着又は接着されておらず互いに分離可能な別々の遮蔽材であり、第１及び第２遮蔽材の両方に前記昇降コードを挿通させることなく第１及び第２遮蔽材が前後方向に離間することを防ぐ離間抑制手段を備える、遮蔽装置が提供される。【選択図】図１
2015229901.tif 000002
【特許請求の範囲】
【請求項１】
ヘッドボックスから垂下され且つ前後方向に並べて配置された第１及び第２遮蔽材を一緒に昇降させる昇降コードを備える遮蔽装置であって、
第１及び第２遮蔽材は、互いに溶着又は接着されておらず互いに分離可能な別々の遮蔽材であり、
第１及び第２遮蔽材の両方に前記昇降コードを挿通させることなく第１及び第２遮蔽材が前後方向に離間することを防ぐ離間抑制手段を備える、遮蔽装置。
【請求項２】
第１及び第２遮蔽材は、それぞれ、プリーツ生地であり、
保持部によって第１及び第２遮蔽材の折り目のピッチを保持可能なピッチ保持コードを備え、
前記ピッチ保持コードは、第１及び第２遮蔽材を挟んで前記昇降コードとは反対側に設けられか、又は第１及び第２遮蔽材の一方を前記昇降コードとの間に挟み且つ第１及び第２遮蔽材の他方に挿通され、且つ前記保持部によって前記昇降コードと連結されて前記離間抑制手段として機能するように構成される、請求項１に記載の遮蔽装置。
【請求項３】
前記保持部は、第１及び第２遮蔽材の同一方向の折り目に挿通される、請求項２に記載の遮蔽装置。
【請求項４】
前記保持部は、第１及び第２遮蔽材の異なる方向の折り目に挿通される、請求項２に記載の遮蔽装置。
【請求項５】
第１及び第２遮蔽材は、それぞれ、プリーツ生地であり、
第１及び第２遮蔽材は、前記ヘッドボックスの略同一位置から垂下され、且つその折り目のピッチが互いに異なる、請求項１〜請求項４の何れか１つに記載の遮蔽装置。
【請求項６】
第１及び第２遮蔽材は、前記ヘッドボックスの前後方向に離間された位置から垂下される、請求項１〜請求項４の何れか１つに記載の遮蔽装置。
【請求項７】
第１及び第２遮蔽材の間に離間部材を備える、請求項６に記載の遮蔽装置。
【請求項８】
前記昇降コードは、第１及び第２遮蔽材の間に配置され、
前記離間抑制手段は、第１遮蔽材と前記昇降コードが離間することを防ぐ第１離間抑制手段と、第２遮蔽材と前記昇降コードが離間することを防ぐ第２離間抑制手段を備える、請求項１に記載の遮蔽装置。
【請求項９】
第１及び第２遮蔽材は、互いに異なる種類の遮蔽材である、請求項８に記載の遮蔽装置。
【請求項１０】
第１遮蔽材は、シェード生地であり、第２遮蔽材は、プリーツ生地である、請求項９に記載の遮蔽装置。
【請求項１１】
前記昇降コードは、第１遮蔽材のみに挿通され、前記離間抑制手段は、第２遮蔽材と前記昇降コードが離間することを防ぐように構成される、請求項１に記載の遮蔽装置。
【請求項１２】
第１遮蔽材は、第２遮蔽材に向かう方向の折り目に接合部を備え、前記昇降コードは、前記接合部に挿通される、請求項１１に記載の遮蔽装置。
【請求項１３】
第１及び第２遮蔽材の少なくとも一方は、プリーツ生地であり、
保持部によって前記プリーツ生地の折り目のピッチを保持可能なピッチ保持コードを備え、
前記ピッチ保持コードは、第２遮蔽材を挟んで前記昇降コードとは反対側に設けられるか又は第２遮蔽材に挿通され、且つ前記保持部によって前記昇降コードと連結されて前記離間抑制手段として機能するように構成される、請求項１１又は請求項１２に記載の遮蔽装置。
【請求項１４】
第２遮蔽材は、第１遮蔽材に向かう方向の折り目に接合部を備え、
第１及び第２遮蔽材の少なくとも一方は、プリーツ生地であり、
保持部によって前記プリーツ生地の折り目のピッチを保持可能なピッチ保持コードを備え、
前記ピッチ保持コードは、前記接合部に挿通される、請求項１１又は請求項１２に記載の遮蔽装置。
【請求項１５】
第１及び第２生地に対してプリーツ加工を施してプリーツ生地からなる第１及び第２遮蔽材を形成し、
第１及び第２遮蔽材を重ねた状態で、ピッチ保持コードの保持部を第１及び第２遮蔽材に挿通させて昇降コード挿通部を形成し、
前記昇降コード挿通部に昇降コードを挿通させる工程を備える、遮蔽装置の製造方法。
【請求項１６】
リングを有するリングテープの縫製加工を第１生地に対して施してシェード生地からなる第１遮蔽材を形成し、
ピッチ保持コードの保持部を第１遮蔽材に挿通させて昇降コード挿通部を形成し、
第２生地に対してプリーツ加工を施してプリーツ生地からなる第２遮蔽材を形成し、
前記リング及び前記昇降コード挿通部に昇降コードを挿通させる工程を備える、遮蔽装置の製造方法。
【発明の詳細な説明】
【技術分野】
【０００１】
この発明は、複数枚の遮蔽材（プリーツ生地、シェード生地など）を一緒に昇降させる遮蔽装置に関する。
【背景技術】
【０００２】
プリーツスクリーンは、上下方向にジグザグ状に折り畳み可能としたスクリーンをヘッドボックスから吊下支持し、そのスクリーンを操作装置により昇降して採光量を適宜に調節するものである。
【０００３】
プリーツスクリーンの中には、断熱性能を向上させる等の目的で、２枚のスクリーンの向かい合う折り目同士を溶着して一体化し、スクリーンの断面形状を菱形にしているものがある（特許文献１）。また、２枚のスクリーンを連結する別の方法としては、特許文献２では、２枚のスクリーンの間に連接部材を配置し、連接部材の一部を一方のスクリーンに接着し、連接部材の別の一部を他方のスクリーンに接着する方法が開示されている。
【先行技術文献】
【特許文献】
【０００４】
【特許文献１】実開昭６４−２９８７号公報
【特許文献２】特開平９−２１２８１号公報
【発明の概要】
【発明が解決しようとする課題】
【０００５】
特許文献１〜２の方法では、予め溶着や接着などの手段によって２枚のスクリーンの向かい合う折り目同士を連結する工程が必須であるが、この工程は煩雑である。
【０００６】
本発明はこのような事情に鑑みてなされたものであり、複層の生地が一体化され且つ断熱性に優れた遮蔽装置を提供するものである。
【課題を解決するための手段】
【０００７】
本発明によれば、ヘッドボックスから垂下され且つ前後方向に並べて配置された第１及び第２遮蔽材を一緒に昇降させる昇降コードを備える遮蔽装置であって、第１及び第２遮蔽材は、互いに溶着又は接着されておらず互いに分離可能な別々の遮蔽材であり、第１及び第２遮蔽材の両方に前記昇降コードを挿通させることなく第１及び第２遮蔽材が前後方向に離間することを防ぐ離間抑制手段を備える、遮蔽装置が提供される。
【０００８】
本発明の遮蔽装置は、第１及び第２遮蔽材が、互いに溶着又は接着されておらず互いに分離可能な別々の遮蔽材であるので、ユーザーが第１及び第２遮蔽材用の生地を自由な組み合わせで選択して製造することができ、少量生産に適している。
【０００９】
以下、本発明の種々の実施形態を例示する。以下に示す実施形態は互いに組み合わせ可能である。
好ましくは、第１及び第２遮蔽材は、それぞれ、プリーツ生地であり、保持部によって第１及び第２遮蔽材の折り目のピッチを保持可能なピッチ保持コードを備え、前記ピッチ保持コードは、第１及び第２遮蔽材を挟んで前記昇降コードとは反対側に設けられか、又は第１及び第２遮蔽材の一方を前記昇降コードとの間に挟み且つ第１及び第２遮蔽材の他方に挿通され、且つ前記保持部によって前記昇降コードと連結されて前記離間抑制手段として機能するように構成される。
好ましくは、前記保持部は、第１及び第２遮蔽材の同一方向の折り目に挿通される。
好ましくは、前記保持部は、第１及び第２遮蔽材の異なる方向の折り目に挿通される。
好ましくは、第１及び第２遮蔽材は、それぞれ、プリーツ生地であり、第１及び第２遮蔽材は、前記ヘッドボックスの略同一位置から垂下され、且つその折り目のピッチが互いに異なる。
好ましくは、第１及び第２遮蔽材は、前記ヘッドボックスの前後方向に離間された位置から垂下される。
好ましくは、第１及び第２遮蔽材の間に離間部材を備える。
好ましくは、前記昇降コードは、第１及び第２遮蔽材の間に配置され、前記離間抑制手段は、第１遮蔽材と前記昇降コードが離間することを防ぐ第１離間抑制手段と、第２遮蔽材と前記昇降コードが離間することを防ぐ第２離間抑制手段を備える。
好ましくは、第１及び第２遮蔽材は、互いに異なる種類の遮蔽材である。
好ましくは、第１遮蔽材は、シェード生地であり、第２遮蔽材は、プリーツ生地である。
好ましくは、前記昇降コードは、第１遮蔽材のみに挿通され、前記離間抑制手段は、第２遮蔽材と前記昇降コードが離間することを防ぐように構成される。
好ましくは、第１遮蔽材は、第２遮蔽材に向かう方向の折り目に接合部を備え、前記昇降コードは、前記接合部に挿通される。
好ましくは、第１及び第２遮蔽材の少なくとも一方は、プリーツ生地であり、保持部によって前記プリーツ生地の折り目のピッチを保持可能なピッチ保持コードを備え、前記ピッチ保持コードは、第２遮蔽材を挟んで前記昇降コードとは反対側に設けられるか又は第２遮蔽材に挿通され、且つ前記保持部によって前記昇降コードと連結されて前記離間抑制手段として機能するように構成される。
好ましくは、第２遮蔽材は、第１遮蔽材に向かう方向の折り目に接合部を備え、第１及び第２遮蔽材の少なくとも一方は、プリーツ生地であり、保持部によって前記プリーツ生地の折り目のピッチを保持可能なピッチ保持コードを備え、前記ピッチ保持コードは、前記接合部に挿通される。
【００１０】
本発明の別観点によれば、第１及び第２生地に対してプリーツ加工を施してプリーツ生地からなる第１及び第２遮蔽材を形成し、第１及び第２遮蔽材を重ねた状態で、ピッチ保持コードの保持部を第１及び第２遮蔽材に挿通させて昇降コード挿通部を形成し、前記昇降コード挿通部に昇降コードを挿通させる工程を備える、遮蔽装置の製造方法が提供される。
【００１１】
本発明のさらに別観点によれば、リングを有するリングテープの縫製加工を第１生地に対して施してシェード生地からなる第１遮蔽材を形成し、ピッチ保持コードの保持部を第１遮蔽材に挿通させて昇降コード挿通部を形成し、第２生地に対してプリーツ加工を施してプリーツ生地からなる第２遮蔽材を形成し、前記リング及び前記昇降コード挿通部に昇降コードを挿通させる工程を備える、遮蔽装置の製造方法が提供される。
【図面の簡単な説明】
【００１２】
【図１】本発明の第１実施形態の遮蔽装置を示し、（ａ）は斜視図、（ｂ）〜（ｃ）は、それぞれ領域Ａ〜Ｂの近傍の左側面図である。
【図２】本発明の第２実施形態の遮蔽装置を示し、（ａ）は斜視図、（ｂ）〜（ｃ）は、それぞれ領域Ａ〜Ｂの近傍の左側面図である。
【図３】本発明の第３実施形態の遮蔽装置を示し、（ａ）は斜視図、（ｂ）〜（ｃ）は、それぞれ領域Ａ〜Ｂの近傍の左側面図である。
【図４】本発明の第４実施形態の遮蔽装置を示し、（ａ）は斜視図、（ｂ）〜（ｃ）は、それぞれ領域Ａ〜Ｂの近傍の左側面図である。
【図５】本発明の第５実施形態の遮蔽装置を示す図１（ｂ）に対応する左側面図である。
【図６】本発明の第６実施形態の遮蔽装置を示す図１（ｂ）に対応する左側面図であり、（ａ）〜（ｄ）は、構成例１〜４のジョイント部材２５を示す。
【図７】本発明の第７実施形態の遮蔽装置を示す左側面図である。
【図８】本発明の第７実施形態の遮蔽装置においてリング３３から昇降コード５を取り外す方法を説明するための斜視図である。
【図９】本発明の第８実施形態の遮蔽装置を示し、（ａ）は左側面図、（ｂ）は領域Ａ近傍の斜視図である。
【図１０】本発明の第９実施形態の遮蔽装置を示す斜視図である。
【図１１】（ａ）は図１０の左側面図であり、（ｂ）は（ａ）中の領域Ａ近傍の斜視図である。
【図１２】本発明の第１０実施形態の遮蔽装置を示す左側面図である。
【図１３】本発明の第１１実施形態の遮蔽装置を示す左側面図である。
【発明を実施するための形態】
【００１３】
以下、本発明の種々の実施形態について説明する。以下の示す実施形態中で示した各種特徴事項は、互いに組み合わせ可能である。
【００１４】
（第１実施形態）
図１を用いて、本発明の第１実施形態の遮蔽装置について説明する。本実施形態の遮蔽装置では、ヘッドボックス１から垂下され且つ上下方向にジグザグ状に折り畳み可能である２枚のプリーツ生地（第１及び第２遮蔽材）１２，２２を備える。２枚のプリーツ生地１２，２２は、前後方向に並べて配置され、ヘッドボックス１下面の略同一位置から垂下される。プリーツ生地１２，２２は、互いに溶着又は接着されておらず互いに分離可能な別々の生地である。プリーツ生地１２は、折り目間のピッチがプリーツ生地２２よりも大きくなっているので、図１（ｂ）〜（ｃ）に示すように折り目９の位置を合わせた状態でプリーツ生地１２，２２の間に空気層Ｓが形成されて断熱性が高められている。また、折り目９の位置では、プリーツ生地１２，２２の間の間隔が非常に狭くなって（又は接触して）いるので、プリーツ生地１２，２２の間での上下方向の対流が抑制されて断熱性が一層高められている。ピッチ保持コード６の縦糸と昇降コード５を規制する保持部（ピコ）７の長さは、ピッチ保持コード６の縦糸と昇降コード５間の距離が２枚のプリーツ生地１２，２２が畳まれた状態の幅より長くなっており、２枚のプリーツ生地１２，２２はスムーズに折り畳み可能である。
【００１５】
プリーツ生地１２，２２の下端には、ボトムレール３が取着される。ボトムレール３には、昇降コード５の一端が取着されている。昇降コード５の他端は、ヘッドボックス１内を通って、ヘッドボックス１の一端に設けられたコード出口１９から垂下される。コード出口１９から垂下された複数の昇降コード５の先端には、コードイコライザー８が取着され、コードイコライザー８を把持して複数本の昇降コード５をまとめて操作することを可能にしている。コード出口１９近傍又はヘッドボックス１内には、図示しないストッパが設けられており、昇降コード５の非操作時に昇降コード５の移動を妨げてボトムレール３を所望位置に保持することが可能になっている。本実施形態では、昇降コード５は、ボトムレール３の幅方向の２箇所に設けられており、その一方は、プリーツ生地１２，２２の部屋外側、他方は、プリーツ生地１２，２２の部屋内側に設けられることによって、ボトムレール３を昇降させる際にボトムレール３が前後方向に傾斜しないようになっている。なお、昇降コード５の数は特に限定されず、例えば、昇降コード５の数が３本の場合は、中央の昇降コード５を部屋内側、両端の昇降コード５を部屋外側に配置したり、その逆の配置にしたりすることができる。
【００１６】
プリーツ生地１２，２２を挟んで各昇降コード５に対向する位置には、ピッチ保持コード６が設けられる。ピッチ保持コード６は、一端がヘッドボックス１に取着され、他端がボトムレール３に取着される。ピッチ保持コード６には、あらかじめ設定された間隔で複数の環状の保持部７が設けられる。各保持部７にプリーツ生地１２，２２を挿通させると、保持部７の一部が昇降コード５側に昇降コード挿通部７ａを形成する。昇降コード５を昇降コード挿通部７ａに挿通させると、昇降コード５とピッチ保持コード６の間の最大距離が保持部７によって規制される。そして、昇降コード５とピッチ保持コード６によって挟まれたプリーツ生地１２，２２が前後方向に離間することも規制される。従って、本実施形態では、保持部７によって連結された昇降コード５とピッチ保持コード６が特許請求の範囲の「離間抑制手段」として機能する。
【００１７】
図１（ｂ）〜（ｃ）に示すように、保持部７は、部屋外側方向の折り目９においてプリーツ生地１２，２２に挿通されている。保持部７の挿通箇所では、プリーツ生地１２，２２にはピンホールが形成される。ピンホールは、予め形成してもよく、保持部７を挿通させる際に形成してもよい。図１（ｂ）〜（ｃ）では、プリーツ生地１２，２２の折り目９の高さ位置が一致しているので、ピンホールを通じた光漏れが生じる虞れがある。このような光漏れを抑制すべく、プリーツ生地１２，２２の折り目９の高さ位置をずらしてもよい。
【００１８】
ここで、本実施形態の遮蔽装置の製造方法の生地部組み立て工程について説明する。
まず、プリーツ生地１２用の生地とプリーツ生地２２用の生地に対してプリーツ加工を施して、プリーツ生地１２，２２を作製する。
次に、プリーツ生地１２，２２を重ねた状態で保持部７をプリーツ生地１２，２２に挿通させて、昇降コード挿通部７ａを形成する。
次に、昇降コード挿通部７ａに昇降コード５又はダミーコードを挿通させることにより生地部組み立てが終了する。
その後、プリーツ生地１２，２２をヘッドボックス１から垂下させる製品組立工程を経て昇降可能な製品として完成される。なお、生地部組み立てにおいて、昇降コード挿通部７ａにダミーコードを挿通させた場合は、製品組立工程において、ダミーコードに昇降コード５を接合し、ダミーコードを引き抜くことによって昇降コード挿通部７ａに昇降コード５を挿通させる。
【００１９】
このように本実施形態では、プリーツ生地１２，２２を溶着又は接着しないので、プリーツ生地１２用の生地とプリーツ生地２２用の生地をユーザーが自由に選択してオーダーすることができるので、ユーザーの好みに合った製品を製造することが容易になる。また、溶着又は接着済のプリーツ生地は在庫リスクが高いが、本実施形態によれば、そのようなリスクを無くすことができる。さらに、プリーツ生地１２，２２は、昇降コード挿通部７ａに昇降コード５を挿通させることによって一体化されているので、プリーツ生地１２，２２の間に虫などの異物が入り込んだ場合には、昇降コード挿通部７ａから昇降コード５を引き抜くことによって、プリーツ生地１２，２２の一体状態を容易に解除することができる。プリーツ生地１２，２２の一方をあとから別の生地へ交換することも可能である。
【００２０】
（第２実施形態）
図２を用いて、本発明の第２実施形態の遮蔽装置について説明する。本実施形態は、第１実施形態に類似しており、保持部７の挿通位置の違いが主な相違点である。以下、相違点を中心に説明する。
【００２１】
第１実施形態では保持部７がプリーツ生地１２，２２の同一方向（部屋外側方向）の折り目９に挿通されているが、本実施形態では、保持部７は、図２（ｂ）〜（ｃ）に示すように、保持部７は、プリーツ生地１２については部屋内側方向の折り目９に挿通され、プリーツ生地２２については部屋外側方向の折り目９に挿通される。このような構成によれば、保持部７の挿通箇所においてプリーツ生地１２，２２に形成されるピンホールの高さ位置がずれるので、光漏れを低減することができる。また、プリーツ生地１２，２２の間の空気層Ｓが厚くなることによって断熱性が向上する。さらに、プリーツ生地１２，２２の最小離間位置Ｃでのプリーツ生地１２，２２間の距離が比較的短いので、プリーツ生地１２，２２間での上下方向の対流を抑制することができる。
【００２２】
（第３実施形態）
図３を用いて、本発明の第３実施形態の遮蔽装置について説明する。本実施形態は、第１実施形態に類似しており、プリーツ生地１２，２２の垂下位置の違いが主な相違点である。以下、相違点を中心に説明する。
【００２３】
第１実施形態ではプリーツ生地１２，２２は、ヘッドボックス１下面の略同一位置から垂下させたが、本実施形態では、図３に示すように、プリーツ生地１２，２２は、ヘッドボックス１下面の前後方向に離間させた位置から垂下させる。また、第１実施形態では、プリーツ生地１２，２２は、ボトムレール３の略同一位置に取着させたが、本実施形態では、プリーツ生地１２，２２は、ボトムレール３の前後方向に離間させた位置に取着させる。また、本実施形態では、プリーツ生地１２，２２の折り目のピッチが同一になっている。
【００２４】
このような構成によれば、プリーツ生地１２，２２間に均一な厚さの空気層Ｓを形成することができるので、断熱性を向上させることができる。
【００２５】
（第４実施形態）
図４を用いて、本発明の第４実施形態の遮蔽装置について説明する。本実施形態は、第３実施形態に類似しており、プリーツ生地１２，２２の間に離間部材２３を設けた点が主な相違点である。以下、相違点を中心に説明する。
【００２６】
図４に示すように、本実施形態では、プリーツ生地１２，２２の間に離間部材２３が設けられている。離間部材２３によってプリーツ生地１２，２２の前後方向距離が広がって、空気層Ｓが厚くなる。このため、本実施形態によれば断熱性がさらに高められる。
【００２７】
離間部材２３は、プリーツ生地１２，２２を前後方向に離間させることができるものであれば、その形状は特に限定されず、例えば、コード状、テープ状、シート状である。また、プリーツ生地１２，２２の間に離間部材２３として昇降コードを配置し、プリーツ生地１２，２２の前後に配置された昇降コード５と同時に引き上げてもよい。
【００２８】
（第５実施形態）
図５を用いて、本発明の第５実施形態の遮蔽装置について説明する。本実施形態は、第１実施形態に類似しており、重なり部を設けた点が主な相違点である。以下、相違点を中心に説明する。
【００２９】
本実施形態は、一方の生地の折り目９に重なるよう他方の生地の折り目９を設け、一体化した点が特徴である。
第１実施形態ではプリーツ生地１２，２２は同数の折り目９を有しており、保持部７は、プリーツ生地１２，２２の同一段の折り目９においてプリーツ生地１２，２２に挿通させたが、本実施形態では、プリーツ生地２２の折り目９の数は、プリーツ生地１２の折り目の数と異なっており、保持部７は、プリーツ生地１２，２２の互いに異なる段の折り目９においてプリーツ生地１２，２２に挿通させる。より具体的には、プリーツ生地２２の折り目９の数は、プリーツ生地１２の折り目の数の整数倍であり、保持部７は、プリーツ生地１２，２２の折り目９の高さ位置が一致した箇所において、プリーツ生地１２，２２に挿通させる。このような構成によれば、厚い空気層Ｓを形成しつつ、プリーツ生地１２，２２間での上下方向の対流を抑制することができる。本実施形態では、ピッチ保持コード６の保持部７を双方のプリーツ生地１２，２２の折り目９が重なっている位置で挿通したが、プリーツ生地１２，２２の折り目９が重なっていない位置（例えば矢印Ｒ１で示す位置）において、片方のプリーツ生地２２の折り目９で挿通しても良い。また、双方のプリーツ生地１２，２２について折り目９の無い位置（例えば矢印Ｒ２で示す位置）で挿通しても良い。
【００３０】
（第６実施形態）
図６を用いて、本発明の第６実施形態の遮蔽装置について説明する。本実施形態は、第１実施形態に類似しており、離間抑制手段の構成の違いが主な相違点である。以下、相違点を中心に説明する。
【００３１】
本実施形態では、図６（ａ）〜（ｄ）で例示される構成例１〜４のジョイント部材２５によって離間抑制手段が構成される。
【００３２】
図６（ａ）に示す構成例１では、ジョイント部材２５は、基部２５ａが所定機能を備え先端がＴ字の鉛直方向に屈曲性のある抜け止め２５ｃとなっているタグピンであり、先端の抜け止め２５ｃは座屈せず生地に刺さるものである。この構成例のジョイント部材２５は、基部２５ａと、抜け止め２５ｃと、これらの間の挿通部２５ｂとを備える。バノックガンを用いて抜け止め２５ｃをプリーツ生地１２，２２に打ち込んで、抜け止め２５ｃにプリーツ生地１２，２２を貫通させると図６（ａ）に示すように、挿通部２５ｂがプリーツ生地１２，２２に挿通され且つプリーツ生地１２，２２の前後に基部２５ａ及び抜け止め２５ｃが配置されて、ジョイント部材２５によってプリーツ生地１２，２２が一体化されてプリーツ生地１２，２２が前後方向に離間することが抑制される。
【００３３】
図６（ｂ）に示す構成例２では、ジョイント部材２５は、昇降コード挿通孔２５ｄ付きのバノックピンである。構成例２のジョイント部材２５のプリーツ生地１２，２２への取り付け方法は、構成例１と同様である。構成例２では、ジョイント部材２５の昇降コード挿通孔２５ｄに昇降コード５を挿通させる。
【００３４】
図６（ｃ）に示す構成例３では、ジョイント部材２５は、糸状部２５ｅと抜け止め２５ｃとを備える。糸状部２５ｅをプリーツ生地１２，２２に挿通させると、挿通させた部分によって環状の昇降コード挿通部２５ｃが形成される。この昇降コード挿通部２５ｃに昇降コード５を挿通させることによって図６（ｃ）に示す構成が得られる。図６（ｃ）の状態では、プリーツ生地１２，２２は、糸状部２５ｅによって連結された昇降コード５と抜け止め２５ｃによって挟まれているので、プリーツ生地１２，２２が前後方向に離間することが抑制される。
【００３５】
図６（ｄ）に示す構成例４では、ジョイント部材２５は、基部２５ａと、基部２５ａの両端から基部２５ａに対して略垂直に延びる挿入部２５ｆとを備える。挿入部２５ｆをプリーツ生地１２，２２に挿通させ、挿通させた部分を屈曲させることによって図６（ｄ）に示すように昇降コード挿通部２５ｃを形成し、この昇降コード挿通部２５ｃに昇降コード５を挿通させることによって図６（ｄ）に示す構成が得られる。図６（ｄ）の状態では、プリーツ生地１２，２２は、基部２５ａと、屈曲させた挿入部２５ｆによって挟まれているので、プリーツ生地１２，２２が前後方向に離間することが抑制される。
【００３６】
以上の構成によれば、ピッチ保持コード６を使用することなく、プリーツ生地１２，２２が前後方向に離間することを抑制することができる。
【００３７】
（第７実施形態）
図７を用いて、本発明の第７実施形態の遮蔽装置について説明する。本実施形態は、離間抑制手段を備え、共通の昇降コード５を用いて２つの遮蔽材を昇降させるという点で第１実施形態と共通しており、遮蔽材の種類と、昇降コード５の配置の違いが主な相違点である。以下、相違点を中心に説明する。
【００３８】
本実施形態では、ヘッドボックス１から垂下される遮蔽材は、シェード生地３２とプリーツ生地２２であり、昇降コード５は、シェード生地３２とプリーツ生地２２の間に配置される。昇降コード５の下端にはウェイトバー３５が固定される。ウェイトバー３５から部屋外側に向かって延長部３７が延びている。プリーツ生地２２は、ウェイトバー３５上に折り畳まれる。プリーツ生地２２の部屋外側には、ヘッドボックス１と延長部３７の間に、環状の保持部７を有するピッチ保持コード６が設けられている。シェード生地３２には、複数のリング３３を有するリングテープ３４が取り付けられている。シェード生地３２の下端と、ウェイトバー３５には、互いに対となる面ファスナー４５，４６が設けられおり、シェード生地３２がウェイトバー３５に対して着脱可能になっている。
【００３９】
保持部７をプリーツ生地２２に挿通させることによって昇降コード挿通部７ａを形成し、昇降コード挿通部７ａとリング３３に昇降コード５を挿通させることによって図７に示す構成が得られる。図７に示す構成では、保持部７によって連結されたピッチ保持コード６と昇降コード５の間にプリーツ生地２２が挟まれているので、プリーツ生地２２と昇降コード５が離間することが抑制される。また、リング３３に昇降コード５を挿通することによって、シェード生地３２と昇降コード５が離間することが抑制される。
【００４０】
また、リング３３には返しがついたギャップ３３ａを有しており、ギャップ３３ａを通じてリング３３内へ昇降コード５を挿入することができるが、ギャップ３３ａには返しが設けられているので昇降コード５がギャップ３３ａを通じてリング３３から容易には外れないようになっている。昇降コード５をリング３３から外す際には、図８（ａ）〜（ｃ）に示すように、昇降コード５のリング３３よりも上側の部分を、ギャップ３３ａを通じてリング３３内に挿入し、図８（ｄ）に示すようにリング３３の下側に引き抜くことによって、昇降コード５をリング３３から外すことができる。このような構成によれば昇降コード５をヘッドボックス１から外すことなく、シェード生地３２を遮蔽装置から取り外すことができる。
【００４１】
ここで、本実施形態の遮蔽装置の製造方法の生地部組み立て工程について説明する。
まず、プリーツ生地２２用の生地に対してプリーツ加工を施してプリーツ生地２２を作製し、保持部７をプリーツ生地２２に挿通させて昇降コード挿通部７ａを形成する。
次に、シェード生地３２にリングテープ３４を縫製加工する。
次に、昇降コード挿通部７ａとリング３３に昇降コード５を挿通させる。
【００４２】
このように本実施形態によれば、互いに異なる種類の遮蔽材を有する遮蔽装置を容易に製造することができる。また、プリーツ生地２２とシェード生地３２の間には空気層が形成されるので断熱性が優れている。さらに、昇降コード５が２つの生地の間に配置されるので、人やペットなどが昇降コード５に引っ掛かるようなことが無く安全性が優れている。
【００４３】
（第８実施形態）
図９を用いて、本発明の第８実施形態の遮蔽装置について説明する。本実施形態は、第７実施形態に類似しており、シェード生地３２の代わりに、接合部１２ａを有するプリーツ生地１２を用いている点が主な相違点である。以下、相違点を中心に説明する。
【００４４】
本実施形態では、プリーツ生地１２の背面側の折り目を所定の幅で接合することによって接合部１２ａを形成している。接合は超音波溶着、縫着、接着等による。接合部１２ａには、コード挿通孔１２ｂが設けられ、コード挿通孔１２ｂに昇降コード５が挿通される。
【００４５】
昇降コード５は、プリーツ生地２２に挿通された保持部７の昇降コード挿通部７ａにも挿通されており、接合部１２ａが保持部７によって支持されることによってプリーツ生地１２の折り目のピッチが保持されている。
【００４６】
本実施形態では、共通の昇降コード５がコード挿通孔１２ｂと昇降コード挿通部７ａに挿通され、保持部７によって連結された昇降コード５とピッチ保持コード６によってプリーツ生地１２，２２が一体化される。本実施形態では、プリーツ生地２２の保持部７を挿通したピンホールからの光漏れがプリーツ生地１２で防止される。
【００４７】
（第９実施形態）
図１０〜図１１を用いて、本発明の第９実施形態の遮蔽装置について説明する。本実施形態は、第８実施形態に類似しており、ピッチ保持コード６がプリーツ生地２２に挿通されている点が主な相違点である。以下、相違点を中心に説明する。
【００４８】
本実施形態では、ピッチ保持コード６がプリーツ生地２２に挿通される。ピッチ保持コード６の保持部７は、プリーツ生地２２に挿通されておらず、昇降コード挿通部７ａとなっている。昇降コード挿通部７ａには、昇降コード５が挿通されている。また昇降コード５は、プリーツ生地１２の接合部１２ａに設けられたコード挿通孔１２ｂにも挿通されている。
【００４９】
このように、本実施形態では、共通の昇降コード５がコード挿通孔１２ｂと昇降コード挿通部７ａに挿通され、保持部７によって連結された昇降コード５とピッチ保持コード６によってプリーツ生地１２，２２が一体化される。図１０のようにボトムレール３の前後幅はプリーツ生地１２とプリーツ生地２２とを積層可能な幅があり、略中央に昇降コードが取着されボトムレール３により昇降可能となっている。
【００５０】
（第１０実施形態）
図１２を用いて、本発明の第１０実施形態の遮蔽装置について説明する。本実施形態は、第９実施形態に類似しており、昇降コード５とピッチ保持コード６の配置が逆になっている点が主な相違点である。以下、相違点を中心に説明する。
【００５１】
本実施形態では、プリーツ生地２２には昇降コード５が挿通されており、プリーツ生地１２の接合部１２ａに設けられたコード挿通孔１２ｂにはピッチ保持コード６が挿通されている。ピッチ保持コード６の保持部７は昇降コード挿通部７ａとなっており、昇降コード挿通部７ａには昇降コード５が挿通されている。
【００５２】
このように、共通の昇降コード５がプリーツ生地２２と昇降コード挿通部７ａに挿通され、保持部７によって連結された昇降コード５とピッチ保持コード６によってプリーツ生地１２，２２が一体化される。
【００５３】
・なお、プリーツ生地１２，２２の一方に設けた接合部に昇降コード５を挿通させ、プリーツ生地１２，２２の他方に設けた接合部にピッチ保持コード６を挿通させ、ピッチ保持コード６に設けた保持部７によって昇降コード５とピッチ保持コード６を連結させることによってプリーツ生地１２，２２を一体化させてもよい。部屋内側のプリーツ生地１２の接合部は、プリーツ生地２２の方向の折り目に設けることが好ましい。部屋外側のプリーツ生地２２の接合部は、プリーツ生地１２の方向の折り目に設けてもよく、プリーツ生地１２とは反対方向の折り目に設けてもよい。
【００５４】
（第１１実施形態）
図１３を用いて、本発明の第１１実施形態の遮蔽装置について説明する。本実施形態は、第１実施形態に類似しており、ピッチ保持コード６がプリーツ生地１２に挿通され且つ保持部７がプリーツ生地２２のみに挿通されている点が主な相違点である。本実施形態でも保持部７によって連結された昇降コード５とピッチ保持コード６によってプリーツ生地１２，２２が一体化される。
【符号の説明】
【００５５】
１：ヘッドボックス、３：ボトムレール、５：昇降コード、６：ピッチ保持コード、７：保持部、７ａ：昇降コード挿通部、８：コードイコライザー、９：折り目、１２，２２：プリーツ生地、１９：コード出口、２３：離間部材、２５：ジョイント部材、３２：シェード生地、３３：リング、３５：ウェイトバー
【図１】
2015229901.tif 000003
【図２】
2015229901.tif 000004
【図３】
2015229901.tif 000005
【図４】
2015229901.tif 000006
【図５】
2015229901.tif 000007
【図６】
2015229901.tif 000008
【図７】
2015229901.tif 000009
【図８】
2015229901.tif 000010
【図９】
2015229901.tif 000011
【図１０】
2015229901.tif 000012
【図１１】
2015229901.tif 000013
【図１２】
2015229901.tif 000014
【図１３】
2015229901.tif 000015